【手続補正書】
【提出日】平成19年10月24日(2007.10.24)
【手続補正１】
【補正対象書類名】特許請求の範囲
【補正対象項目名】全文
【補正方法】変更
【補正の内容】
【特許請求の範囲】
【請求項１】
複数の映像コンテンツが記録された記録媒体より前記映像コンテンツを再生する再生手段と、
前記複数の映像コンテンツのうち、第１の映像コンテンツにおける指定された期間を再生し他の期間の再生を行わないよう前記再生手段を制御するための再生制御情報を生成する生成手段と、
前記複数の映像コンテンツのうち前記第１の映像コンテンツとは異なる第２の映像コンテンツを前記再生制御情報に基づいて再生するよう前記再生手段を制御する制御手段と
を備えることを特徴とする再生装置。
【請求項２】
前記第１の映像コンテンツと第２の映像コンテンツとは互いに関連した内容を有することを特徴とする請求項１に記載の再生装置。
【請求項３】
前記第２の映像コンテンツを前記再生制御情報に基づいて再生するか否かを選択する選択手段を更に備え、
前記制御手段は、前記再生制御情報に基づく再生を行わないことが前記選択手段で選択された場合には、前記再生制御情報を用いること無く前記第２の映像コンテンツを再生するよう前記再生手段を制御することを特徴とする請求項１または２に記載の再生装置。
【請求項４】
放送番組を受信する受信手段と、
前記受信手段により受信された放送番組の映像コンテンツを前記記録媒体に記録する記録手段と、
指定した時刻に前記放送番組を受信して前記記録媒体に対して映像コンテンツを記録する録画予約設定を行う予約設定手段と
を更に備え、
前記予約設定手段は、前記放送番組を定期的に受信して前記記録媒体に映像コンテンツを記録する繰り返し録画予約の設定が可能であり、前記第１の映像コンテンツと第２の映像コンテンツとは前記繰り返し録画予約設定に従って記録された映像コンテンツであることを特徴とする請求項２または３に記載の再生装置。
【請求項５】
前記制御手段は、前記第２の映像コンテンツを再生するにあたり、前記第１の映像コンテンツと前記第２の映像コンテンツとが同一の前記繰り返し録画予約設定に従って記録された映像コンテンツであるか否かを判別し、同一の前記繰り返し録画予約設定に従って記録された映像コンテンツでない場合には前記再生制御情報を用いること無く前記第２の映像コンテンツを再生するよう前記再生手段を制御することを特徴とする請求項４に記載の再生装置。
【請求項６】
記録媒体より映像コンテンツを再生する再生手段と、
前記映像コンテンツの通常再生及び特殊再生を指示する指示手段と、
前記映像コンテンツのうち、前記指示手段の指示に応じて通常再生を行った期間と特殊再生を行った期間とを検出し、映像コンテンツにおける通常再生を行った期間を再生し特殊再生を行った期間の再生を行わないよう前記再生手段を制御するための再生制御情報を生成する生成手段と、
前記再生制御情報に基づいて前記映像コンテンツを再生するよう前記再生手段を制御する制御手段と
を備えることを特徴とする再生装置。
【請求項７】
複数の映像コンテンツが記録された記録媒体より前記映像コンテンツを再生する再生手段を備える再生装置における再生制御方法であって、
前記複数の映像コンテンツのうち、第１の映像コンテンツにおける指定された期間を再生し他の期間の再生を行わないよう前記再生手段を制御するための再生制御情報を生成する生成ステップと、
前記複数の映像コンテンツのうち前記第１の映像コンテンツとは異なる第２の映像コンテンツを前記再生制御情報に基づいて再生するよう前記再生手段を制御する制御ステップと
を備えることを特徴とする再生制御方法。
【請求項８】
前記第１の映像コンテンツと第２の映像コンテンツとは互いに関連した内容を有することを特徴とする請求項７に記載の再生制御方法。
【請求項９】
前記第２の映像コンテンツを前記再生制御情報に基づいて再生するか否かを選択する選択ステップを更に備え、
前記制御ステップでは、前記再生制御情報に基づく再生を行わないことが前記選択ステップで選択された場合には、前記再生制御情報を用いること無く前記第２の映像コンテンツを再生するよう前記再生手段を制御することを特徴とする請求項７または８に記載の再生制御方法。
【請求項１０】
放送番組を受信する受信ステップと、
前記受信ステップにより受信された放送番組の映像コンテンツを前記記録媒体に記録する記録ステップと、
指定した時刻に前記放送番組を受信して前記記録媒体に対して映像コンテンツを記録する録画予約設定を行う予約設定ステップと
を更に備え、
前記予約設定ステップでは、前記放送番組を定期的に受信して前記記録媒体に映像コンテンツを記録する繰り返し録画予約の設定が可能であり、前記第１の映像コンテンツと第２の映像コンテンツとは前記繰り返し録画予約設定に従って記録された映像コンテンツであることを特徴とする請求項８または９に記載の再生制御方法。
【請求項１１】
前記制御ステップでは、前記第２の映像コンテンツを再生するにあたり、前記第１の映像コンテンツと前記第２の映像コンテンツとが同一の前記繰り返し録画予約設定に従って記録された映像コンテンツであるか否かを判別し、同一の前記繰り返し録画予約設定に従って記録された映像コンテンツでない場合には前記再生制御情報を用いること無く前記第２の映像コンテンツを再生するよう前記再生手段を制御することを特徴とする請求項１０に記載の再生制御方法。
【請求項１２】
記録媒体より映像コンテンツを再生する再生手段を備える再生装置における再生制御方法であって、
前記映像コンテンツの通常再生及び特殊再生を指示する指示ステップと、
前記映像コンテンツのうち、前記指示ステップの指示に応じて通常再生を行った期間と特殊再生を行った期間とを検出し、映像コンテンツにおける通常再生を行った期間を再生し特殊再生を行った期間の再生を行わないよう前記再生手段を制御するための再生制御情報を生成する生成ステップと、
前記再生制御情報に基づいて前記映像コンテンツを再生するよう前記再生手段を制御する制御ステップと
を備えることを特徴とする再生制御方法。
【手続補正２】
【補正対象書類名】明細書
【補正対象項目名】発明の名称
【補正方法】変更
【補正の内容】
【発明の名称】再生装置及び再生制御方法
【手続補正３】
【補正対象書類名】明細書
【補正対象項目名】０００１
【補正方法】変更
【補正の内容】
【０００１】
本発明は、再生装置及び再生制御方法に関する。
【手続補正４】
【補正対象書類名】明細書
【補正対象項目名】０００８
【補正方法】変更
【補正の内容】
【０００８】
本発明は、上述した事情を考慮してなされたもので、定期的な録画によって記録された一連の複数のコンテンツに対する再生時の操作性を向上させることを目的とする。
【手続補正５】
【補正対象書類名】明細書
【補正対象項目名】０００９
【補正方法】変更
【補正の内容】
【０００９】
本発明の再生装置は、複数の映像コンテンツが記録された記録媒体より前記映像コンテンツを再生する再生手段と、前記複数の映像コンテンツのうち、第１の映像コンテンツにおける指定された期間を再生し他の期間の再生を行わないよう前記再生手段を制御するための再生制御情報を生成する生成手段と、前記複数の映像コンテンツのうち前記第１の映像コンテンツとは異なる第２の映像コンテンツを前記再生制御情報に基づいて再生するよう前記再生手段を制御する制御手段とを備えることを特徴とする。
【手続補正６】
【補正対象書類名】明細書
【補正対象項目名】００１０
【補正方法】変更
【補正の内容】
【００１０】
また、本発明の再生装置は、記録媒体より映像コンテンツを再生する再生手段と、前記映像コンテンツの通常再生及び特殊再生を指示する指示手段と、前記映像コンテンツのうち、前記指示手段の指示に応じて通常再生を行った期間と特殊再生を行った期間とを検出し、映像コンテンツにおける通常再生を行った期間を再生し特殊再生を行った期間の再生を行わないよう前記再生手段を制御するための再生制御情報を生成する生成手段と、前記再生制御情報に基づいて前記映像コンテンツを再生するよう前記再生手段を制御する制御手段とを備えることを特徴とする。
また、本発明は、複数の映像コンテンツが記録された記録媒体より前記映像コンテンツを再生する再生手段を備える再生装置における再生制御方法であって、前記複数の映像コンテンツのうち、第１の映像コンテンツにおける指定された期間を再生し他の期間の再生を行わないよう前記再生手段を制御するための再生制御情報を生成する生成ステップと、前記複数の映像コンテンツのうち前記第１の映像コンテンツとは異なる第２の映像コンテンツを前記再生制御情報に基づいて再生するよう前記再生手段を制御する制御ステップとを備えることを特徴とする。
また、本発明は、記録媒体より映像コンテンツを再生する再生手段を備える再生装置における再生制御方法であって、前記映像コンテンツの通常再生及び特殊再生を指示する指示ステップと、前記映像コンテンツのうち、前記指示ステップの指示に応じて通常再生を行った期間と特殊再生を行った期間とを検出し、映像コンテンツにおける通常再生を行った期間を再生し特殊再生を行った期間の再生を行わないよう前記再生手段を制御するための再生制御情報を生成する生成ステップと、前記再生制御情報に基づいて前記映像コンテンツを再生するよう前記再生手段を制御する制御ステップとを備えることを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】変更
【補正の内容】
【００１６】
本発明によれば、定期的な録画によって記録された一連の複数のコンテンツに対する再生時の操作性を向上させることができる。